(57)【要約】  離散した無線スモール・セル・カバレッジ・エリアの連続体をモバイル端末のために提供するデータ展開システムが、モバイル端末４９０に無線ブロードバンド・データ・サービスを提供するように構成される道路反射器６１０のセットを含む。各反射器１００は、モバイル端末４９０とバックホール・ネットワーク４８０との間に通信を確立するように構成される処理回路４１０を備える。各反射器１００はデータを送受信するように構成される無線トランシーバ４２０を備える。各反射器１００は、太陽光エネルギーを電気に変換する電力源４４０を備える。各反射器１００は、処理回路、トランシーバ、及び電力源を収納するように構成されるハウジング４６０を備える。ハウジング４６０は、突起した反射面を有する。
2016522594.tif 000002
【特許請求の範囲】
【請求項１】
データを送信及び受信するように構成される無線トランシーバと、
対象物に向けて無線信号を送信し、前記対象物から戻る反射信号を受信するように構成されるレーダー・トランシーバ、
前記対象物の画像を捕捉するように構成されるカメラ、
のうちの少なくとも１つと、
有線通信リンクを通してバックホール・ネットワークに結合するとともに無線通信リンクを通して少なくとも１つのモバイル端末に結合し、
前記少なくとも１つのモバイル端末と前記バックホール・ネットワークとの間で情報を伝達し、
対象物への近位距離、前記対象物の移動のスピード、及び前記対象物の移動の方向のうち少なくとも１つを判断する
ように構成される処理回路と、
前記処理回路及び前記無線トランシーバのうち少なくとも１つに電気エネルギーを供給するように構成される電力源と、
突起した反射面を含む車道マーカーからなるハウジングであって、前記処理回路、前記無線トランシーバ、前記電力源を含むように構成されるハウジングと
からなる、データ展開反射器。
【請求項２】
前記処理回路が
少なくとも１つの第２のデータ展開反射器に結合し、
前記データ展開反射器と前記少なくとも１つの第２のデータ展開反射器との間の通信のために仮想プライベート・ネットワークを初期化するようにさらに構成される、請求項１に記載のデータ展開反射器。
【請求項３】
前記レーダー・トランシーバ及び前記カメラからなり、前記処理回路が
前記対象物の速度を判断し、
前記対象物のスピードが少なくとも閾値スピードであるかどうか判断する
ようにさらに構成される、請求項１に記載のデータ展開反射器。
【請求項４】
前記処理回路が
コントローラ・ユニットを通して前記バックホール・ネットワークに結合するようにさらに構成され、前記コントローラ・ユニットが前記対象物の速度、前記対象物の速度が少なくとも閾値スピードであるかの判断、及び、前記画像をネットワーク・ノードに送信するように構成される、請求項３に記載のデータ展開反射器。
【請求項５】
前記処理回路が、前記少なくとも１つのモバイル端末及び前記バックホール・ネットワークに伝達される前記情報を暗号化するようにさらに構成される、請求項１に記載のデータ展開反射器。
【請求項６】
前記電力源が無線電力受信器からなる、請求項１に記載のデータ展開反射器。
【請求項７】
前記電力源が前記無線トランシーバ及び前記処理回路を動作させるための電力を供給するように構成され、前記電力源が、地熱エネルギー、熱、及び振動エネルギーのうち少なくとも１つを電気に変換するように構成される変換器からなる、請求項１に記載のデータ展開反射器。
【請求項８】
前記突起した反射面から固形降水を溶かして除去するように構成される環境コントロール・ユニットをさらに備える、請求項１に記載のデータ展開反射器。
【請求項９】
前記処理回路が、フォトニック光通信チャネルを介して前記少なくとも１つのモバイル端末及び前記バックホール・ネットワークに情報を伝達するようにさらに構成される、請求項１に記載のデータ展開反射器。
【請求項１０】
前記処理回路が、レーザー光通信チャネルを介して前記少なくとも１つのモバイル端末及び前記バックホール・ネットワークに情報を伝達するようにさらに構成される、請求項１に記載のデータ展開反射器。
【請求項１１】
処理回路及びエネルギー・ユニットからなり、複数のデータ展開反射器を制御するとともに前記複数のデータ展開反射器との間で情報を伝達するように構成される第１のコントローラ・ユニットと、
前記コントローラ・ユニットに結合される第１のセットのデータ展開反射器からなるシステムであって、前記第１のセットのデータ展開反射器が、バックホール・ネットワークに結合するように構成される複数のデータ展開反射器からなり、各データ展開反射器が、
データを送信及び受信するように構成される無線トランシーバと、
対象物に向けて無線信号を送信し、前記対象物から戻る反射信号を受信するように構成されるレーダー・トランシーバ、
前記対象物の画像を捕捉するように構成されるカメラ、
のうち１つと、
有線通信リンクを通してバックホール・ネットワークに結合するとともに無線通信リンクを通して少なくとも１つのモバイル端末に結合し、
前記少なくとも１つのモバイル端末と前記バックホール・ネットワークとの間で情報を伝達し、
対象物への近位距離、前記対象物の移動のスピード、及び前記対象物の移動の方向のうち少なくとも１つを判断する
ように構成される処理回路と、
前記処理回路及び前記無線トランシーバのうち少なくとも１つに電気エネルギーを供給するように構成される電力源と、
突起した反射面を含む車道マーカーからなるハウジングであって、前記処理回路、前記無線トランシーバ、前記電力源を含むように構成されるハウジングと、
からなる、システム。
【請求項１２】
前記第１のセットのデータ展開反射器が、第２のコントローラ・ユニットによって制御される第２のセットのデータ展開反射器に前記少なくとも１つのユーザ・モバイル端末との接続をハンドオーバするように構成され、
少なくとも１つのデータ展開反射器が、前記少なくとも１つのデータ展開反射器と少なくとも１つの第２のデータ展開反射器との間の通信のために仮想プライベート・ネットワークを初期化するように構成され、
前記コントローラが前記第１のセットのデータ展開反射器への通信のために仮想プライベート・ネットワークを初期化するように構成される、
請求項１１に記載のシステム。
【請求項１３】
データ展開反射器のセット内の少なくとも１つのデータ展開反射器が前記レーダー・トランシーバ及び前記カメラからなり、
前記少なくとも１つのデータ展開反射器の前記処理回路が、
前記対象物の速度を決定し、
前記対象物の前記スピードが少なくとも閾値スピードであるか判断するように構成される、
請求項１１に記載のシステム。
【請求項１４】
データ展開反射器の各セットが、
前記コントローラ・ユニットを通して前記バックホール・ネットワークに結合するように構成され、前記コントローラ・ユニットが前記対象物の速度、前記対象物の速度が少なくとも閾値スピードであるかの判断、及び、前記画像をネットワーク・ノードに送信するように構成される、請求項１３に記載のシステム。
【請求項１５】
前記第１のコントローラ・ユニットが、前記第１のセットのデータ展開反射器に伝達される前記情報を暗号化するように構成される、請求項１１に記載のシステム。
【請求項１６】
前記第１のセットのデータ展開反射器が、前記突起した反射面から固形降水を溶かして除去するように構成される環境コントロール・ユニットをさらに備え、
前記第１のセットのデータ展開反射器の前記処理回路が、フォトニック光通信チャネル及びレーザー光通信チャネルのうち少なくともを介して前記少なくとも１つのモバイル端末及び前記第１のコントローラ・ユニットに情報を伝達するようにさらに構成される、
請求項１１に記載のシステム。
【請求項１７】
前記電力源が無線電力受信器と、地熱エネルギー、熱、及び振動エネルギーのうち少なくとも１つを電気に変換するように構成される変換器とからなり、
前記電力源が前記無線トランシーバ及び前記処理回路を動作させるための電力を供給するように構成され、
前記エネルギー・ユニットが、前記無線電力受信器に結合され、前記無線電力受信器に無線で電気を送信するように構成される無線電力送信器からなる、
請求項１１に記載のシステム。
【請求項１８】
データ展開ユニットをバックホール・ネットワークに有線通信リンクを通して結合するステップと、
レーダー・トランシーバによって無線信号を送受信するステップ、
画像を捕捉するステップ、
のうち少なくとも１つと、
少なくとも１つのモバイル端末を前記データ展開ユニットに無線通信リンクを通して結合するステップと、
前記データ展開ユニットによって前記少なくとも１つのモバイル端末と前記バックホール・ネットワークとの間で情報を伝達するステップであって、前記データ展開ユニットが反射面を含む凸状車道マーカーからなるステップと、
対象物への近位距離、前記対象物の動きのスピード、及び前記対象物の動きの方向のうち少なくとも１つを判断するステップと
を含む、方法。
【請求項１９】
前記対象物の前記スピードが少なくとも閾値スピードであるか判断するステップと、
前記画像内の文字列を認識するステップと、
前記認識された文字列が目標のナンバープレート番号と一致するか判断するステップと、
前記対象物の速度、前記対象物の速度が少なくとも閾値スピードであるかの判断、前記画像、及び前記認識された文字列が目標のナンバープレート番号と一致するかの判断をネットワーク・ノードに送信するステップと
をさらに含む、請求項１８に記載の方法。
【請求項２０】
ネットワーク・ノードからファイルをダウンロードするよう求める要求をモバイル端末から受信するステップと、
少なくも１つのファイル・セグメントを含む前記要求されたファイルを取り込むステップと、
前記コントローラ・ユニットに制御されているデータ展開反射器に、前記少なくとも１つのファイル・セグメントの中の指定されたファイル・セグメントをスケジュールされた時刻に移動局に転送させるよう、コントローラ・ユニットに指示するステップであって、前記スケジュールされた時刻が、前記移動局の推定位置、前記対象物の動きの速度、及び前記対象物の動きの方向に基づく、ステップと
をさらに含む、請求項１８に記載の方法。
【発明の詳細な説明】
【技術分野】
【０００１】
本出願は一般にモバイル・ブロードバンド・データ・サービスに関し、より詳細には、モバイル・デバイスのための離散ＷｉＦｉホットスポットに関する。
【背景技術】
【０００２】
無線データ通信の需要及び人気が高まっている。モバイル・デバイスは、セルラー・データ・ネットワーク又は小さいＷｉＦｉ（ｗｉｒｅｌｅｓｓ  ｆｉｄｅｌｉｔｙ）ネットワーク（ＷｉＦｉホットスポット）を使用してモバイル・デバイス向けブロードバンド・データ・サービスにアクセスする。セルラー・データ・ネットワークの方がカバレッジが広いが、ＷｉＦｉホットスポットの方が高いデータ転送速度及び低い電力使用量が低費用で可能になる。しかし、ＷｉＦｉホットスポットはカバレッジ・エリアが制限され、ユーザが場所間を移動しているときには使用が抑制される。
【発明の概要】
【課題を解決するための手段】
【０００３】
データ展開反射器(data expansion reflector)が提供される。データ展開反射器は、データを送受信するように構成された無線トランシーバを備える。データ展開反射器は処理回路もまた備え、処理回路はバックホール・ネットワーク及び少なくとも１つのモバイル・デバイスと結合するように構成される。処理回路は、少なくとも１つのモバイル端末とバックホール・ネットワークとの間で情報を伝達するようにさらに構成される。データ展開反射器は、発電器を備えた電力源もまた備える。発電器は太陽光エネルギーを電気に変換する。データ展開反射器は、処理回路、トランシーバ、及び電源を収納するように構成されたハウジングもまた備える。ハウジングは、突起した反射面を備える。
【０００４】
少なくとも１つのモバイル端末にブロードバンド・データ・サービスを提供するシステムが提供される。このシステムは、第１のセットのデータ展開反射器を含む。第１のセットのデータ展開反射器は、バックホール・ネットワークに結合するように構成された複数のデータ展開反射器を含む。各データ展開反射器は、データを送受信するように構成された無線信号トランシーバを備える。各データ展開反射器は処理回路もまた備え、処理回路は、バックホール・ネットワーク及び少なくとも１つのモバイル端末と、トランシーバを介して通信するように構成される。各データ展開反射器は電力源もまた備え、電力源は、処理回路及びトランシーバに電気エネルギーを供給するように構成される。各データ展開反射器は、突起した反射面を備えたハウジングもまた含み、このハウジングは、処理回路、電力源、及び無線信号トランシーバを収納するように構成される。
【０００５】
データ展開の方法が提供される。この方法は、データ展開ユニットをバックホール・ネットワークに結合することを含む。この方法は、少なくとも１つのモバイル端末をデータ展開ユニットに結合することもまた含む。この方法は、データ展開ユニットによって、少なくとも１つのモバイル端末とバックホール・ネットワークの間で情報を伝達することもさらに含む。データ展開ユニットは、表面反射器を備える。
【０００６】
下記の発明を実施するための形態に進む前に、本明細書で使用される一定の語句の定義を定めておくと都合がよい。「含む」、「備える」並びにその派生語は、「非限定的に含む」ことを意味する。用語「又は」は包括的であり、「及び／又は」を意味する。「に関連する」「それに関連する」並びにその派生句は、「を含む」、「に含まれる」「と相互接続する」、「を包含する」、「に包含される」、「に接続する」又は「と接続する」、「に結合する」又は「と結合する」、「と通信可能」、「と協働する」、「インターリーブする」、「並置する」、「に近接する」、「しなければならない」又は「に拘束される」、「有する」、「の属性を有する」などを意味することがある。用語「コントローラ」は、１つ以上の動作を制御する任意のデバイス、システム又はその一部を意味し、そのようなデバイスがハードウェア、ファームウェア、ソフトウェア又はそれらの少なくとも２つの何らかの組み合わせのいずれに実装されていてもよい。任意の特定のコントローラに関連する機能は、ローカル又はリモートのどちらにでも、集中化されても分散されてもよいことに注目されたい。本明細書全体で一定の語句が定義されるが、大多数ではないにしろ多数の事例で、そのように定義された語句の以前並びに将来の使用にそのような定義が当てはまることが当業者には理解されよう。いくつかの用語は広範な各種の実施例を含むことがあるが、添付の特許請求の範囲はこれらの用語を特定の実施例に明示的に限定する。
【０００７】
本開示及びその利点についての理解をより徹底するために、付属の図面と併せて下記の説明が参照される。なお、これらの図面で、同様の番号は同様の対象を示す。
【図面の簡単な説明】
【０００８】
【図１】本開示の実施例による、スモール・セル・データ展開反射器（ＤＥＲ）を示す図である。
【図２】本開示の実施例による、太陽電池アレイパネルを含むＤＥＲを示す図である。
【図３】本開示の実施例による、円筒形ハウジングを有するＤＥＲを示す図である。
【図４】本開示の実施例による、ＤＥＲ内部のコントロール・システムの、選択された電気及び電子構成部品を示す図である。
【図５】本開示の実施例による、一連のＤＥＲを示す図である。
【図６】本開示の実施例による、ＤＥＲのネットワークを示す図である。
【図７】本開示の実施例による、モバイル・ブロードバンド・データ・アクセスを提供するためのプロセスを示す図である。
【図８】本開示の実施例による、モバイル・ブロードバンド・アクセスを提供するＤＥＲを示す図である。
【図９】本開示の実施例による、ＤＥＲシステムを示す図である。
【図１０】本開示の実施例による、ＤＥＲのネットワークを示す図である。
【図１１】本開示の実施例による、車両の速度及び識別情報を報告するためのプロセスを示す図である。
【図１２】本開示の実施例による、車両の位置及び識別情報を報告するためのプロセスを示す図である。
【図１３】本開示の実施例による、移動局の推定地理位置に基づいてデータ・ファイルの複数のセグメントを移動局に連続的に送信するためのプロセスを示す図である。
【発明を実施するための形態】
【０００９】
下記に説明する図１〜図８及び、本開示の原理を説明するために使用される本明細書内の様々な実施例は、説明のみを目的とし、本開示の範囲を制限するものと決して解釈されてはならない。本開示の原理が任意の適切に構成されたデバイスに実装され得ることが当業者には理解されるであろう。本出願の多数の革新的教示について、例示的で非制限的な実施例を参照しながら説明される。
【００１０】
図１は、本発明の実施例による、スモール・セル・データ展開反射器（ＤＥＲ）１００を示す。一定の詳細がＤＥＲ１００の構成要素を参照しながら提供されるが、その他の実施例が、それらより多くの、又は少ない、又はそれらと異なる構成要素を含んでもよいことを理解されたい。
【００１１】
ＤＥＲ１００は、モバイル・デバイスとバックホール・ネットワークとの間に無線通信を提供するように構成されるスモール・セル・デバイスである。ＤＥＲ１００は、１つ又は複数のモバイル・デバイスに結合して、それらのモバイル・デバイスがデータ及び制御信号などの情報をバックホール・ネットワークに対して送受信できるようになされる。そのように、ＤＥＲ１００は、無線カバレッジ・エリア、セルラー・カバレッジ・エリア、ＷｉＦｉホットスポットなどのホットスポット、及び同種のものなどのうち１つ又は複数を提供するように構成される。
【００１２】
ＤＥＲ１００は交通の管理及び安全のために使用される街路面反射器（表面マーカーとも呼ばれる）として構成されることができ、例えば、道路反射器、凸状車道マーカー、街路反射器、道路鋲、車道反射器がある。いくつかの実施例では、円筒形のハウジングを有するＤＥＲ１００が、ハウジングの最も高い部分が道路面とほぼ同一面にある（つまり、１センチメートル以内）ように道路面に配置される。
【００１３】
ＤＥＲ１００は、反射材料１２０から成る１つ又は複数の面を備える。例えば、ＤＥＲハウジング１１０は設置面、上面、及び複数の側面を備える。いくつかの実施例では、反射材料の面は複数の側面、上面、又はそれらの組み合わせを備える。ＤＥＲ１００は、反射材料、プラスチック、セラミック、又はその他の適切な材料の組み合わせから構成される。いくつかの実施例では、複数の側面及び上面のうち選択されたものだけが反射材料を含む。つまり、ＤＥＲ１００の反射材料でできる部分は、全体部分よりも少ない。例えば、図１に示される例では、ＤＥＲ１００の２つの矩形側面が反射材料を含む。いくつかの実施例では、ＤＥＲ１００のハウジングは、円形、楕円形、矩形、八角形、六角形、台形又はその他の適切な形状などの様々な任意の形状であることができる。
【００１４】
図２は、本開示の実施例による、太陽電池アレイパネル２１０を備えるＤＥＲ１００を示す。一定の詳細がＤＥＲ１００の構成要素を参照しながら提供されるが、その他の実施例が、それらより多くの、少ない、又はそれらと異なる構成要素を含んでもよいことを理解されたい。
【００１５】
いくつかの実施例では、ＤＥＲ１００は自立型の電力源又は電源装置を備える。いくつかの実施例では、上面などの少なくとも１つの面が、自立型電力源から成る。自立型電力源は、複数の光起電セルを含む太陽電池２２０（例えば、太陽電池アレイパネルを形成する）を備えることができる。いくつかの実施例では、ＤＥＲ１００は、太陽電池２２０などの自立型電力源に結合されるように構成される電力インターフェースを備える。いくつかの実施例では、電力インターフェースは取り外し可能に自立型電力源に結合されるように構成される。
【００１６】
いくつかの実施例では、ＤＥＲ１００は角錐台の形状のハウジングを備える。太陽電池アレイパネル２１０をハウジング１１０の上に配置することができる。ハウジングの１つ又は複数の側面が太陽電池２２０を含むことができる。反射材料１２０が、ハウジング１１０の残りの１つ又は複数の側面に配置される。ハウジング１１０の太陽電池２２０を含む側面を、一日及び年間を通して最も多くの太陽エネルギーの吸収が可能な側面に対応する方向に向けることができる。いくつかの実施例では、ハウジングは太陽電池アレイパネル２１０を覆うか又は囲む透明保護カバーを備える。透明保護カバーは、ＰＬＥＸＩＧＬＡＳ材料若しくはその他の硬質プラスチック、ガラス、又は合成材料などの任意の適切な透明材料から成る。いくつかの実施例では、透明材料は反射材料から成り、反射面の一部として構成される。いくつかの実施例では、太陽電池アレイパネル２１０は反射面に埋め込まれるか、又は反射面としての透明材料の下に配置される。
【００１７】
図３は、本開示の実施例による、円筒形ハウジング３００を備えるＤＥＲ１００を示す。一定の詳細がＤＥＲ１００の構成要素を参照しながら提供されるが、その他の実施例が、それらより多くの、少ない、又はそれらと異なる構成要素を含んでもよいことを理解されたい。
【００１８】
少なくとも１つの反射面を有する円筒形ハウジング３００を備えるＤＥＲ１００。いくつかの実施例では、円筒形ハウジング３００を有するＤＥＲ１００は反射面の上に配置されるか、又は透明の反射面の下に配置される太陽電池アレイパネル３１０を備える。ハウジング３００は円筒形の上に円錐台がある形でもよい。いくつかの実施例では、太陽電池アレイパネル３１０は反射面に埋め込まれるか又は差し込まれる。いくつかの実施例では、円筒形ハウジング３００を有するＤＥＲ１００は、ハウジング３００の最も高い部分が道路面とほぼ同一面にある（つまり、１センチメートル以内）ように道路面に配置される。
【００１９】
いくつかの実施例では、円筒形ハウジング３００を有するＤＥＲ１００の一部分は反射面を備える。いくつかの実施例では、円筒形ハウジング３００を有するＤＥＲ１００の一部分は太陽電池アレイ３１０を備える。いくつかの実施例では、円筒形ハウジング３００を有するＤＥＲ１００の一部分は反射材料を含み、反射装置１００の別の一部分は反射面を備える。いくつかの実施例では、円筒形ハウジング３００を有するＤＥＲ１００は反射面でもある太陽電池アレイ３１０を備える。
【００２０】
図４は、本開示の実施例による、ＤＥＲ１００内部のコントロール・システム４００の構成要素を示す。一定の詳細がコントロール・システム４００の構成要素を参照しながら提供されるが、その他の実施例が、それらより多くの、少ない、又はそれらと異なる構成要素を含んでもよいことを理解されたい。ＤＥＲ１００はコントロール・システム４００を備える。コントロール・システム４００は、ＤＥＲ１００がモバイル端末にブロードバンド・データ・サービスへのアクセスを提供できるように構成される。コントロール・システム４００は処理回路４１０、トランシーバ４２０、通信インターフェース４３０、電力源４４０、及びアンテナ４５０を備える。いくつかの実施例では、コントロール・システム４００は、レーダー（無線探知測距（ＲＡＤＡＲ：  ＲＡｄｉｏ  Ｄｅｔｅｃｔｉｏｎ  Ａｎｄ  Ｒａｎｇｉｎｇ））ユニット４１５、カメラ４２５、全地球測位システム（ＧＰＳ）受信器４３５、及び環境コントロール・ユニット４４５のうち、１つ又は複数を備える。ハウジング４６０はコントロール・システム４００を収納するように構成される。いくつかの実施例では、コントロール・システム４００は、ネットワーク・ノード４７０もまた含む。ネットワーク・ノード４７０はアクセス・ポイントとして動作し、アクセス制御、盗難防止、データ・トラフィック監視、データ・トラフィックのシェーピング、ネットワーク・ノード間の信号伝達、及び、ネットワークのアクセス及び制御に関連するその他の様々な特徴などの特徴を提供する。
【００２１】
処理回路４１０は、レーダー・ユニット４１５、トランシーバ４２０、カメラ４２５、通信インターフェース４３０、ＧＰＳ受信器４３５、電力源４４０、及び環境コントロール・ユニット４４５に結合される。処理回路４１０は、トランシーバ４２０との結合を通して、少なくとも１つのモバイル端末４９０との通信を確立するように構成される。モバイル端末４９０に通信可能に結合された処理回路４１０は、インターネット（すなわち、ワールドワイドウェブ、ワールドワイドネットワーク）又はプライベート・ネットワークなどのコンピュータのネットワーク４９５と、モバイル端末４９０との間の通信を可能にする。処理回路４１０は、モバイル端末４９０とネットワーク４９５との間で情報を伝達するために１つ又は複数の通信チャネルを形成する。コントロール・システム４００は、１つ又は複数のモバイル端末４９０に対して制御信号及びデータ信号を送受信するための安全なチャネルを確立する。処理回路４１０は、コントロール・システム４００とモバイル端末４９０との間の通信のために、仮想プライベート・ネットワーク（ＶＰＮ）の初期化及び終了を行う。つまり、ＤＥＲ１００はＶＰＮを使用し、安全なチャネルを介してモバイル端末４９０と通信する。いくつかの実施例では、処理回路４１０は、暗号データを送信し、モバイル端末４９０から受信した暗号データを解読するように構成される。つまり、処理回路４１０及びモバイル端末４９０は、モバイル端末４９０とＤＥＲ１００との間で送信されるデータを保障するために使用される暗号化合意を成立させるか、又は共用暗号化キーを共有する。
【００２２】
いくつかの実施例では、処理回路４１０は、プログラム可能コントローラを備える。プログラム可能コントローラは、後日、再プログラムして処理回路の１つ又は複数の機能を制御できるように構成される。いくつかの実施例では、プログラム可能コントローラは、処理回路４１０の１つ又は複数の機能を制御するように構成される（例えば事前に構成される）。いくつかの実施例では、処理回路４１０はプログラム可能コントローラに埋め込まれる。本開示では、処理回路４１０の機能又は結合の説明は、プログラム可能コントローラの機能又は結合であると理解されるものとする。
【００２３】
いくつかの実施例では、処理回路４１０はメモリ４１２を備える。いくつかの実施例では、処理回路４１０はメモリ４１２に結合される（図９に示されるように）。メモリ４１２は、任意の適切な揮発性又は不揮発性ストレージ及びリトリーブ装置を備える。例えば、メモリ４１２は、情報を包含、保存、伝達、伝播、又は送信することのできる任意の電子式、磁気式、電磁気式、光学式、光電式、電気機械式、又はその他の物理装置を含むことができる。メモリ４１２は、処理回路４１０のプロセッサ又はプログラム可能コントローラが使用するためのデータ及び命令を保存する。いくつかの実施例では、メモリ４１２は配置情報を保存する。例えば、メモリ４１２は、全地球測位システム（ＧＰＳ）位置又はネットワークによって提供される位置などのＤＥＲ１００の位置を保存するようにプログラムされる。例えば、ネットワーク及び又はオペレータがＤＥＲ１００の設置時に、ＤＥＲ１００に地理位置をプログラムすることができる。いくつかの実施例では、ＤＥＲ１００の位置を示す信号の受信に応答して、処理回路４１０がメモリ４１２に位置を保存する。
【００２４】
コントロール・システム４００は、レーダーガン機能を行うように構成されるレーダー・ユニット４１５を備える。レーダー・ユニット４１５は、１つ又は複数の対象物にレーダー波を送信し、戻ってくる反射波を受信するように構成される。つまり、レーダー・ユニット４１５は、ＤＥＲ１００から外に向けて無線電波を送信するよう構成された無線信号送信器を備える。（例えば車両などの対象物に入射すると、無線電波が対象物から反射され、ＤＥＲ１００のコントロール・システムに戻る。レーダー・ユニット４１５は、戻ってくる反射波を受信するように構成された無線信号受信器を備える。レーダー・ユニット４１５は、送信して反射された電波に対応する波形情報を処理回路４１０に送信する。レーダー・ユニット４１５と処理回路４１０はレーダー波情報を使用して、車両の移動するスピード及び方向（並びに、車両の速度）を判断する。レーダー・ユニット４１５及び処理回路４１０は、レーダー波情報を使用して、レーダー・ユニットから車両までの近位距離を判断する。ＤＥＲ１００内のレーダー・ユニット４１５を使用して、一般道及び高速道路上の交通の流れを監視することができる。
【００２５】
例えば、ＤＥＲ１００の位置に対応する道路制限スピードがメモリ４１２に保存される。ＤＥＲ１００の近くを車両が通行すると、レーダー・ユニット４１５が交通のスピード及び方向を測定する。処理回路４１０が１つ又は複数の車両のスピードを、保存されている制限スピードと比較する。コントロール・システム４００は車両のスピード情報及びスピードの比較結果を、交通法規執行システム、行政の運輸交通管理機関、又は道路交通監視サービス・システムなどの、ネットワーク４９５のコンピュータ又はネットワーク・ユーザに送信する。情報には、一定の距離標識間の推定移動時間量、又は高速道路のジャンクション若しくは出口ランプへの推定到着時間を含むことができる。
【００２６】
コントロール・システム４００はトランシーバ４２０を備える。トランシーバ４２０は、データを送信し、データを受信するように構成される。いくつかの実施例では、トランシーバ４２０は、例えば、ＷｉＦｉトランシーバなどの無線トランシーバである。いくつかの実施例では、トランシーバ４２０はアンテナ４５０を備える。アンテナ４５０はトランシーバ４２０がモバイル端末４９０にデータを送信し、モバイル端末４９０からデータを受信できるように構成される。いくつかの実施例では、トランシーバ４２０がアンテナ４５０に結合され、トランシーバがモバイル端末４９０にデータを送信し、モバイル端末４９０からデータを受信できるようになされる。トランシーバ４２０は処理回路４１０とモバイル端末４９０との間でデータを伝える。つまり、トランシーバ４２０は処理回路４１０からデータを受け取り、処理回路４１０から受け取ったデータをモバイル端末４９０に送信する。トランシーバ４２０はまた、モバイル端末４９０からデータを受信し、モバイル端末４９０から受信したデータを処理回路４１０に送信する。処理回路４１０はネットワーク・ノード４７０に通信可能に結合される。処理回路４１０はノード４７０に信号を送信し、ノード４７０から信号を受信する。例えば、処理回路４１０からノード４７０に送信された信号に応答して、処理回路４１０は１つ又は複数の信号をノード４７０から受信する。処理回路４１０はコンピュータのネットワーク４９５（インターネットとも称される）に通信を送信し、ネットワーク４９５からノード４７０を介して通信を受信する。処理回路４１０がネットワーク４９５に通信可能に結合されているとき、処理回路４１０は、モバイル端末４９０がトランシーバ４２０及びノード４７０を介してネットワーク４９５と通信できるように構成される。
【００２７】
コントロール・システム４００は通信インターフェース４３０を備える。通信インターフェース４３０は、処理回路４１０、ノード４７０、バックホール・ネットワーク４８０、１つ又は複数のモバイル端末４９０、及びネットワーク４９５のうちの１つ又は複数との通信を可能にする。通信は、無線データ転送通信、無線ローカル・エリア・ネットワーク（ＷＬＡＮ）インターネット通信、光通信媒体、赤外線通信媒体、又はＷｉＦｉ通信を通じることができる。
【００２８】
コントロール・システム４００はカメラ４２５を備える。カメラは、ＤＥＲ１００を取り巻く環境の画像を捕捉するように構成される。カメラ４２５は、ＤＥＲ１００に近づくか、又は遠ざかる車両の画像を捕捉するように構成され、画像には、車両のナンバープレートの画像を含む。例えば、処理回路は、制限スピードより速く走行している車両又は高速道路の最低スピードより遅く走行している車両の画像を捕捉するようにカメラ４２５に命じてもよい。
【００２９】
例えば、処理回路４１０が目標車両のナンバープレートの番号を受け取る。携帯電話４９０は、対応する目標のナンバープレート番号を含むアンバー（ＡＭＢＥＲ）アラートを、リンク４５５を介してコントロール・システム４００に送ることができる。処理回路が目標ナンバープレート番号をメモリ４１２に保存する。コントロール・システム４００は光学的文字認識（ＯＣＲ）を含む画像処理を行うように構成される。つまり、カメラ４２５又は処理回路４１０が、カメラ４２５によって捕捉された車両のナンバープレートの画像にＯＣＲを行う。処理回路４２５は画像内で認識されたナンバープレート番号とメモリ４１２に保存されている目標ナンバープレート番号とを比較するように構成される。認識されたナンバープレート番号が１つ又は複数の目標ナンバープレート番号と一致すると、処理回路４１０は、ＤＥＲ１００の位置、一致するナンバープレート情報及び対応する画像を、ネットワーク４９５内のユーザに送信する。ネットワーク４９５のユーザは、ＤＥＲ１００の近傍の法執行官でもよい。
【００３０】
コントロール・システム４００は、ＤＥＲ１００のＧＰＳ位置を示す信号を受信するように構成されるＧＰＳ受信器４３５を備える。コントロール・システム４００は、受信したＧＰＳ位置をＤＥＲ１００の位置としてメモリ４１２に保存するように構成される。
【００３１】
電力源４４０はコントロール・システム４００に電力を供給するように構成される。電力源４４０はコントロール・システム４００の電気構成要素のそれぞれに結合される。電力源４４０は、コントロール・システム４００の電気構成要素のそれぞれに直接結合されることができる。いくつかの実施例では、電力源は処理回路４１０に直接結合され、処理回路４１０に結合された電気構成要素のそれぞれが電力源４４０から間接的に電力を受け取ることができる。電力源４４０は、太陽エネルギー、風力エネルギー、地熱エネルギー、バイオマスエネルギ−、又はそれらの任意の組み合わせなどの再生可能エネルギー源であることができる。例えば、電力源４４０は、地元の電力会社の配電システム、グリッド外アイランド配電システム、又はそれらの混み合わせとの接続を含むことができる。いくつかの実施例では、電力源４４０は太陽電池パネル２１０、３１０である。いくつかの実施例では、電力源４４０は光起電電源であり、太陽エネルギーを電気エネルギーに変化するように構成される光起電塗装又はその他の適切な材料として組み込まれる。特定の実施例では、電力源４４０は、ＤＥＲ１００の外にあってコントロール・システム４００に電力を供給する外部電力源に結合するように適応されるポート又は電力インターフェースを備える。いくつかの実施例では、ポート又は電力インターフェースは外部電力源に取り外し可能に結合されるように構成される。いくつかの実施例では電力源４４０は、ソーラーバッテリー、周囲の振動から導出されるエネルギーを捕捉して保存するように構成された振動発電装置、無線送電装置に結合されるように構成された無線送電受信器、太陽エネルギー、地熱エネルギー又は熱から生成される電気を伝える導電体、複数の太陽電池、ハウジングの透明カバー（例えば、プレキシガラス）の下に配置される複数の太陽電池、及び、道路面又は歩道面の線条塗装のうち１つ又は複数を備える。いくつかの実施例では、線条塗装の一部分はハウジング４６０の内部又は下に配置される。振動発電装置は周囲の道路の振動又はハウジング４６０に吹き付ける風の振動からエネルギーを捕捉して、そのエネルギーをコントロール・システム４００のための電力に変換する。
【００３２】
コントロール・システム４００は環境コントロール・ユニット４４５を備える。環境コントロール・ユニット４４５は、ハウジング４６０の内部及び外部の温度及び湿度を測定するように構成された１つ又は複数のセンサを備える。環境コントロール・ユニット４４５は、ＤＥＲの温度を上昇させるように構成されたヒーター要素４４７を備える。いくつかの実施例では、ヒーター要素４４７はハウジング４６０の材料の内部に配置される。いくつかの実施例では、ヒーター要素４４７はハウジングの頂部に配置され、ＤＥＲ１００の外部面を加熱する。いくつかの実施例では、ヒーター要素４４７はハウジング４６０の周囲を取り巻いて配置される。実例として、環境コントロール・ユニット４４５が氷点下の外部温度を測定し、且つＤＥＲ１００の表面に付着した雪又は氷を検知したときに、環境制御センサがヒーター素子を起動させ、ＤＥＲ１００の温度を上昇させて氷又は雪を溶かす。雪及び氷を溶かすことによって、無人運転車両が路上の車線マーカーを検出して、車両が車線内を走行し続けるように制御することができる。
【００３３】
アンテナ４５０は、モバイル端末４９０と通信可能に結合するように構成される。アンテナ４５０は、適切な無線通信を使用してモバイル端末４９０と通信するように構成することができ、適切な無線通信には、ＷｉＦｉ（すなわちＩＥＥＥ  ８０２．１１ｘ）通信、近距離無線通信（ＮＦＣ）、低消費電力ＢＬＵＥＴＯＯＴＨ（ＢＬＥ）通信、移動通信用グローバル・システム（ＧＳＭ(登録商標)）のための汎用パケット無線サービス（ＧＰＲＳ）通信、ＧＳＭ進化型高速データレート（ＥＤＧＥ）通信、第３世代（３Ｇ）ユニバーサル移動体通信システム（ＵＭＴＳ）通信、３Ｇ高速パケット・アクセス（ＨＳＰＡ）通信、３Ｇ高速ダウンリンク・パケット・アクセス（ＨＳＤＰＡ）通信、ワイマックス（ＷｉＭａｘ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信、第４世代（４Ｇ）ロング・ターム・エボリューション（ＬＴＥ）通信、又はその他の任意の適切な無線通信プロトコルなどがある。いくつかの実施例では、アンテナ４５０はトランシーバ４２０内に含まれる。いくつかの実施例では、アンテナ４５０はトランシーバ４２０に結合される。アンテナ４５０は、無指向性又は単指向性に構成することができる。加えて、アンテナ４５０は、特定の方向にデータを伝えるように構成される指向性アンテナであることもできる。
【００３４】
いくつかの実施例では、コントロール・システム４００は、ハウジング４６０に含められる。ハウジング４６０は突起した反射面として具現化されることができる。突起した反射面のいくつかの例には、交通の管理及び安全のために使用される道路反射器、凸状車道マーカー、街路反射器、道路鋲、車道反射器が含まれる。ハウジング４６０は、矩形、円筒形、楕円形、錐台又は任意の適切な形状であることができる。いくつかの実施例では、ハウジング４６０は、縦横１０．１６ｃｍ、高さ５．７２ｃｍ（４インチ×４インチ×２．２５インチ）を超えない寸法である（例えば、サイズが同じ、又はより小さい）。例えば円錐台の構成では、ハウジング４６０は直径１０．１６ｃｍ（４インチ）、高さ５．７２ｃｍ（２．２５インチ）を含む寸法であることができる。ハウジング４６０は、トランシーバ４２０及び処理回路４１０を収納するように構成される。いくつかの実施例では、ハウジング４６０は電力源４４０の少なくとも一部を収納するように構成される。いくつかの実施例では、ハウジング４６０はコントロール・システム４４０全体を収納するように構成される。
【００３５】
いくつかの実施例では、ネットワーク・ノード４７０がバックホール・ネットワーク４８０（例えば、プライベート又は第３者の電気通信ネットワーク）に通信可能に結合される。ネットワーク・ノード４７０はバックホール・ネットワーク４８０に信号を送信し、バックホール・ネットワーク４８０から信号を受信する。ネットワーク・ノード４７０は、バックホール・ネットワークを通して、ネットワーク４９５に信号を送信し、ネットワーク４９５から信号を受信する。いくつかの実施例では、コントロール・システム４００はネットワーク・ノード４７０を備える。いくつかの実施例では、コントロール・システム４００はネットワーク・ノード４７０に通信可能に結合される。ネットワーク・ノード４７０は、コントロール・システム４００及びその中のそれぞれの構成要素が、ネットワーク・ノード４７０を介してバックホール・ネットワーク４８０及びネットワーク４９５のうち１つ又は複数と通信できるように構成される。ネットワーク・ノード４７０は、別のＤＥＲのコントロール・システム４００のノードなどの１つ又は複数の他のノードと接続されるか、又は通信可能に結合されるように（例えば、論理結合）構成される。したがって、ネットワーク・ノード４７０を介して、第１のＤＥＲのコントロール・システム４００は、第２のＤＥＲが間接的且つ通信可能にバックホール・ネットワーク４８０及びネットワーク４９５に結合できるように構成される。つまり、第２のＤＥＲ１００は、第１のＤＥＲ１００を介して、バックホール・ネットワーク４８０及びネットワーク４９５のうちの１つ又は複数に結合するように構成される。いくつかの実施例では、ネットワーク・ノード４７０は、Ｅｔｈｅｒｎｅｔ（登録商標）、光ファイバ、無線通信、又は、任意の形ローカル・エリア・ネットワーク若しくは広域ネットワーク技術を使用してバックホール・ネットワークと通信するように構成される。
【００３６】
バックホール４８０はネットワーク・ノード４７０及びネットワーク４９５に通信可能に結合して、ネットワーク・ノード４７０とネットワーク４９５との間の通信を可能にする。バックホール・ネットワーク４８０は、ネットワーク４９５及び１つ又は複数のネットワーク・ノード４７０に信号を送信し、ネットワーク４９５及び１つ又は複数のネットワーク・ノード４７０から信号を受信する。バックホール４８０は、ノード４７０とネットワーク４９５との間の双方向通信を可能にする。バックホール４８０は、有線又は無線ネットワークであることができる。
【００３７】
コントロール・システム４００は、ある数のモバイル端末４９０と通信するように構成される。コントロール・システム４００はリンク４５５を介してモバイル・デバイス４９０に信号を送信し、モバイル・デバイス４９０から信号を受信する。モバイル端末４９０は、ポータブル・コンピュータ、「スマートフォン」、携帯情報端末、タッチスクリーンタブレット、電子財布、車両などであることができる。
【００３８】
図５は、本開示の実施例による、一連のＤＥＲ５００を示す。一定の詳細が一連のＤＥＲ５００の構成要素を参照しながら提供されるが、その他の実施例が、それらより多くの、少ない、又はそれらと異なる構成要素を含んでもよいことを理解されたい。一連のＤＥＲ５００は、ＤＥＲ１００ａ及び１００ｂなどの、ある数のＤＥＲを含む。ＤＥＲ１００ａ及び１００ｂはそれぞれコントロール・システム４００を包含する。ＤＥＲ１００ａ及び１００ｂはネットワーク・ノード４７０などの共有ノードに通信可能に結合されており、それによって相互接続された一連のＤＥＲ５００が確立されている。下記で詳細に説明するように、表面反射器のセット５００は、ＤＥＲ及びＤＥＲアセンブリの様々な実施例並びに様々な数量のＤＥＲを備えてもよい。
【００３９】
ＤＥＲ１００ａは、少なくとも１つの側面に反射材料を有する角錐台の車道マーカーとして具現化される。ＤＥＲ１００ａは、導電体５１５を介して外部電力源５１０ａに接続されるポートとして構成された電力源４４０を備える。いくつかの実施例では、外部電力源５１０ａ及び５１０ｂが、車線マーカー、歩道マーカー、又はその他の道路若しくは歩道のマーカーのうち１つ又は複数として具現化される。太陽電池パネル５１０ａ及び５１０ｂは、太陽光又は太陽エネルギーを電力に変換する光起電材料を含む。例えば、外部電力源５１０ａ及び５１０ｂは、複数の太陽電池又は太陽電池パネルなどの、太陽エネルギーを電気エネルギーに変換するように構成された複数の光起電セルを含む。導電体５１５は任意の適切な導電体であることができる。ＤＥＲ１００ａは、外部ネットワーク・ノード４７０に結合された通信インターフェース４３０を備える。通信インターフェース４３０と外部ネットワーク・ノード４７０との間の接続は、ＤＥＲ１００が取り付けられている物体の表面上にあってもよいし、その物体の表面の下にあってもよい。
【００４０】
ＤＥＲ１００ｂ及び太陽電池パネル５１０ｂはともにＤＥＲアセンブリ５２０を形成する。ＤＥＲアセンブリ５２０は複数の電力源４４０及び５１０ｂを備える。
【００４１】
ＤＥＲ１００ｂは面全体に配置された反射材料を有する円錐台の車道路マーカーとして具現化される。ＤＥＲ１００ｂは、電力ポート又は電力インターフェースとして構成された電力源４４０を備える。電力ポート又は電力インターフェース４４０は、複数の異なる電力源（５１０ｂ、５１０ａ）に接続されるように適応される。いくつかの実施例では、図５に示されるように、太陽電池パネル５１０ｂの一部はハウジング４６０の下に配置されるか、又はハウジング４６０と物理的に接触し、別の部分はハウジング４６０の外部に配置される。いくつかの実施例では、ＤＥＲアセンブリ５２０は、ハウジング４６０に包含される外部電力源（例えば、太陽電池パネル）５１０ｂの部分を含まない。
【００４２】
ＤＥＲ１００ｂは通信インターフェース４３０ｂを備える。ＤＥＲ１００ｂの通信インターフェース４３０ｂはＤＥＲ１００ａの通信インターフェース４３０ａと結合され（例えば、データ通信している）、インターフェース４３０ａはノード４７０に接続されている。ここで、通信インターフェース４３０ａ及び４３０ｂの１つがネットワーク・ノード４７０に接続されている。ＤＥＲ１００ａ及びＤＥＲ１００ｂの通信インターフェース４３０ａと４３０ｂとの接続は、デイジー・チェーン５３０を形成する。いくつかの実施例では、デイジー・チェーン５３０は論理デイジー・チェーンである。デイジー・チェーン５３０は、ネットワーク・ノード４７０に直接接続されていない通信インターフェース４３０ｂが、ネットワーク・ノード４７０に結合されている第１のＤＥＲ１００ａの通信インターフェース４３０への接続を介してノード４７０に接続できるようにする。デイジー・チェーン５３０は、表面反射器１００ｂ又は表面反射器１００ａのどちらかの通信インターフェース４３０ｂ及び４３０ａのうち１つに後続のＤＥＲ１００ｃを接続することによって展開してもよい。
【００４３】
図６は、本開示の実施例によるＤＥＲのネットワークを示す。図６に示されるＤＥＲネットワーク６００の実施例は、説明のみを目的とする。本開示の範囲を逸脱することなく、その他の実施例が使用されてもよい。図６では各ＤＥＲ６１０のセットは４つの表面反射器を備えるが、ＤＥＲ６１０のセットは任意の数のＤＥＲを備えることができる。いくつかの実施例では、ＤＥＲ６１０のセットは０．２５マイル（１６０９メートル）の範囲に及ぶことができる。
【００４４】
ＤＥＲ６００のネットワークは複数のＤＥＲのセットを含む。例えば、ＤＥＲ６００のネットワークは第１のＤＥＲのセット６１０ａ及び第２のＤＥＲのセット６１０ｂを含む。第２のＤＥＲのセット６１０ｂのネットワーク・ノード４７０ｂは第１のＤＥＲのセット６１０ａのネットワーク・ノード４７０ａに接続されている。いくつかの実施例では、ネットワーク・ノード４７０ｂは、ネットワーク・ノード４７０ａに論理的に接続されている。第１のＤＥＲのセット６１０ａはバックホール・ネットワーク４８０に接続されている。ネットワーク・ノード４７０ａ及び４７０ｂの間の接続６２０はノードのデイジー・チェーン６２０を形成し、第１のネットワーク・ノード４７０ａの１つがバックホール４８０に接続されている。デイジー・チェーン６２０はネットワーク・ノード４７０ｂが、バックホール４８０に直接結合されている第１のＤＥＲのセット６１０ａのネットワーク・ノード４７０ａへの接続を介してバックホール４８０に接続できるようにする（例えば、ネットワーク・ノード４７０ａからの信号が、バックホール・ネットワークが信号を受け取る前に仲介者によって受信されない）。いくつかの実施例では、デイジー・チェーン６２０は論理デイジー・チェーンであり、第２のネットワーク・ノード４７０ｂはバックホール・ネットワーク４８０及びネットワーク４９５を介して、第１のネットワーク・ノード４７０に信号を送信し、第１のネットワーク・ノード４７０ａから信号を受信する。デイジー・チェーン６２０は、別のＤＥＲのセット６１０の後続のネットワーク・ノード４７０をネットワーク・ノード４７０ａ又はネットワーク・ノード４７０ｂのどちらかに接続することによって展開することができる。ＤＥＲ６００のネットワークのいくつかの実施例では、第１のネットワーク・ノード４７０ａはバックホール・ネットワーク４８０に接続され、第２のネットワーク・ノード４７０ｂはデイジー・チェーン６２０の接続と独立にバックホール・ネットワーク４８０に直接結合される。ＤＥＲ６００のネットワークのいくつかの実施例では、第１のネットワーク・ノード４７０ａはバックホール・ネットワーク４８０に接続され、第２のネットワーク・ノード４７０ｂは、デイジー・チェーン６２０と独立な直接接続の１つ又は複数を通して、及びデイジー・チェーン６２０を介して第１のネットワーク・ノード４７０ａを通して、バックホール・ネットワーク４８０に結合される。例えば、第２のＤＥＲのセット６１０ｂは、バックホール・ネットワーク４８０への独立した直接接続を介して、或いは、第１のネットワーク・ノード４７０ａへのデイジー・チェーンを介してバックホール・ネットワークに対して選択する。ＤＥＲ６００のネットワークのいくつかの実施例では、デイジー・チェーンは、ネットワーク・ノード４７０ａ又はネットワーク・ノード４７０ｂのどちらかを、バックホール・ネットワーク４８０に直接接続されている（第３のＤＥＲのセット６１０の）第３のネットワーク・ノード４７０に接続することによって展開される。いくつかの実施例では、複数のネットワーク・ノード４７０ａ及び４７０ｂとネットワーク４９５との通信（通信チャネルなど）が確立されている場合は、各ネットワーク・ノード４７０はその他のネットワーク・ノード４７０に信号を送信し、各ネットワーク・ノード４７０はその他のネットワーク・ノード４７０から信号を受信する。例えば、第１のネットワーク・ノード４７０は、バックホール・ネットワーク４８０及びネットワーク４９５のうち１つ又は複数を介して、第２のネットワーク・ノード４７０ｂに信号を送信し、第２のネットワーク・ノード４７０ｂから信号を受信する。
【００４５】
ＤＥＲのセット６１０ａは、角錐台の表面反射器を含む。６１０ａの各ＤＥＲは、ネットワーク・ノード４７０ａに結合された通信インターフェース４３０を備える。第２のＤＥＲのセット６１０ｂは円錐台の形状のＤＥＲを含む。セット６１０ｂの各ＤＥＲは、隣接するＤＥＲの通信インターフェース４３０に結合された通信インターフェース４３０を備え、ネットワーク・ノード４７０ｂに結合される通信インターフェース４３０に対してデイジー・チェーンを作成する。いくつかの実施例では、結合は、セット６１０ｂの１つのＤＥＲの第１の通信インターフェース４３０とセット６１０ｂの第２のＤＥＲの第２の通信インターフェース４３０との間で、ネットワーク・ノード４７０ｂに結合される論理デイジー・チェーンの結合である。
【００４６】
図７は、本開示の実施例によりモバイル・ブロードバンド・データ・アクセスを提供するためのプロセスを示す。図７に示されるプロセス７００の実施例は、説明のみを目的とする。本開示の範囲を逸脱することなく、その他の実施例が使用されてもよい。
【００４７】
プロセス７００は、例えば、１つ又は複数のコントロール・システム４００によって行われることができ、以後、本明細書では１つ又は複数のコントロール・システムを単数形で「システム」と称する。プロセス７００は、非一時的なコンピュータ可読媒体に保存された実行可能命令によって実装されることができ、この命令は１つ又は複数の表面反射器コントロール・システム４００にそのようなプロセスを行わせる。
【００４８】
ブロック７０５で、モバイル端末４９０が表面反射器の少なくとも１つのコントロール・システム４００に通信可能に結合するために十分接近した範囲内にあるとき、処理回路４１０は通信可能な結合範囲内にあり、モバイル端末４９０との無線接続を初期化及び確立する。処理回路４１０は、モバイル端末４９０が通信可能な結合範囲内にあるかどうかを、モバイル端末４９０とアンテナ４５０との間の信号の強度に部分的に基づくなどして判断するように構成される。
【００４９】
ブロック７１０で、モバイル端末４９０が少なくとも１つのＤＥＲ１００と通信可能に結合された後に、ＤＥＲ１００はモバイル端末４９０とネットワーク４９５との間でデータを送受信する。データ通信経路はモバイル端末４９０、アンテナ４５０、トランシーバ４２０、処理回路４１０、通信インターフェース４３０、ノード４７０、バックホール４８０、及びネットワーク４９５を含む。
【００５０】
ブロック７１５でモバイル端末４９０が移動して、そのモバイル端末４９０が接続されている第１のＤＥＲの通信可能な結合範囲の外にモバイル端末４９０が出る。モバイル端末４９０は、第１の表面反射器と同じＤＥＲのセット６１０に属する第２のＤＥＲの通信可能な結合範囲の中に入る。いくつかの実施例では、第２のＤＥＲがモバイル端末４９０との無線接続を開始して確立する。モバイル端末４９０から第２のＤＥＲへの接続の確立に応答して、第１のＤＥＲはモバイル端末４９０へのデータ接続を終了する。このプロセスを、同一ノード・ハンドオーバと称する。
【００５１】
いくつかの実施例では、処理回路４１０はブロック７２０で異ノード・ハンドオーバを行うように構成される。モバイル端末４９０が移動し続けると、モバイル端末４９０は、第１のＤＥＲのノードに結合されている第１のＤＥＲのセット内のすべてのＤＥＲの通信可能な結合範囲の外に出る。異ノード・ハンドオーバ７２０では、第１のＤＥＲと同じＤＥＲのセット６１０に属さない第２のＤＥＲ（例えば、ＤＥＲの第１のセットに含まれない）との接続の確立に応答して、第１のＤＥＲはモバイル端末４９０と第１のＤＥＲとの間のデータ接続を終了する。いくつかの実施例では、異ノード・ハンドオーバのプロセスはハードウェア・ハンドオーバを使用して行われ、その場合は第１のノードと第２のノードが有線接続を介して通信可能に結合されている。いくつかの実施例では、異ノード・ハンドオーバのプロセスは無線ハンドオーバを使用して行われ、その場合は第１のノードと第２のノードが無線接続を介して通信可能に結合されている。いくつかの実施例では、同一ノード・ハンドオーバ及び異ノード・ハンドオーバのうち１つ又は複数が中央スイッチによって制御される。いくつかの実施例では、同一ノード・ハンドオーバ及び異ノード・ハンドオーバのうち１つ又は複数がネットワーク・ノード４７０のうちの１つによって制御される。いくつかの実施例では、同一ノード・ハンドオーバ及び異ノード・ハンドオーバのうち１つ又は複数が、モバイル端末によって部分的に制御される。いくつかの実施例では、同一ノード・ハンドオーバ及び異ノード・ハンドオーバのうち１つ又は複数が、バックホール・ネットワーク４８０内の１つ又は複数の構成要素によって制御される。
【００５２】
図８は、本開示の実施例による、モバイル・ブロードバンド・アクセスを車両８００に提供しているＤＥＲ１００を示す。いくつかの実施例では、モバイル端末４９０は、１つ又は複数のＤＥＲ１００からの無線データ信号を受信するように適応されたアンテナ８１０を備える車両８００（例えば、乗用車、トラック、バン、バス）である。ＤＥＲ１００のコントロール・システム４００は、リンク８５０ａを介して車両８００に信号を送信し、車両８００から信号を受信する。
【００５３】
車両８００は、１つ以上のＤＥＲ１００のうち１つに無線データ信号を送信するための送信器８２０を備える。いくつかの実施例では、車両のアンテナ８１０及び送信器８２０（合わせて「車両トランシーバ」８３０）は、キャビン下の車両底部又は車両底部近くなどの、物理的に地面の近くに位置する。ＤＥＲ１００が路上に位置し、車両トランシーバ８３０が車両の下に配置されている場合は、車両は、キャビン内のモバイル端末８６０への信号リンク８５０ｂの強度に比較してより強い、ＤＥＲ１００からの信号リンク８５０ａを受けることができる。いくつかの実施例では、車両のアンテナ８１０は、車両の上、側面、内部、外部、下、などのうち１つ又は複数に設置され、アンテナ８１０とＤＥＲ１００との間の信号の送受信を強化する。
【００５４】
いくつかの実施例では、アンテナ８１０は車両８００内に位置するコントロール・ユニットに結合される。車両のコントロール・ユニット８４０は、処理回路、メモリ８４２及び、車両のキャビン内にあるモバイル端末８６０へのリンク８７０とのインターフェース８４４を備える。リンク８７０は、低消費電力ＢＬＵＥＴＯＯＴＨ(登録商標)，赤外線、ユニバーサル・シリアル・バス（ＵＳＢ）、又はその他の適切なデータ送信媒体リンクなどを介する有線又は無線リンクであることができる。コントロール・ユニット８４０は、ＤＥＲ１００からモバイル端末８６０への信号の強度を増強するように適応される。例えば、信号強度リンク８５０ｂ（ＤＥＲ１００と車両のキャビン内にあるモバイル端末８６０との間）がリンク８５０ａ（ＤＥＲ１００と車両８００との間）の信号強度と比較して弱い場合は、ＤＥＲ１００は、コントロール・ユニット８４０及び、モバイル端末８６０への車両インターフェース・リンク８７０を通して信号をモバイル端末８６０に送信する。
【００５５】
いくつかの実施例では、コントロール・ユニット８４０は、ネットワーク４９５からモバイル・デバイス８６０へ転送されるデータをバッファリングするように適応されるメモリ８４２を備える。コントロール・ユニット８４０はネットワーク４９５からモバイル端末８６０のメモリへのデータの転送を監視する。ネットワーク４９５からのファイルのダウンロード中にモバイル端末８６０とコントロール・ユニット８４０との間の接続が失われたか切断された場合は、コントロール・ユニット８４０はコントロール・ユニット８４０とＤＥＲ１００との間の接続８５０ａを介してネットワーク４９５からのデータのダウンロードを続行する。コントロール・ユニット８４０はダウンロードされたデータをメモリ８４２に保存して、モバイル端末８６０によって取り込めるようにする。モバイル端末８６０とコントローラ８４０との間が再接続されると、メモリ８４２に保存されているダウンロード済みデータは、モバイル端末８６０に転送される。
【００５６】
説明目的で非制限的な実例として、ユーザが映画のダウンロードを開始する。映画のダウンロード中に、ユーザがモバイル端末８６０を持って車両８００の外に出ると、モバイル端末８６０とコントロール・ユニット８４０との間の接続が切断される。その後、コントロール・ユニット８４０は映画の残り部分のダウンロードと保存を続行する。ユーザが車両に戻り、インターフェース８４４を介してモバイル端末８６０をコントロール・ユニット８４０に再接続すると、映画の残り部分がモバイル端末にダウンロードされる。モバイル端末は、マーカーより後ろのバッファリングされたデータのダウンロードを要求するようにユーザに促すことができる。或いは、リンク８７０が再確立されたときに、ユーザと対話することなく、コントローラ８４０がバッファリングされたデータのダウンロードを開始することもできる。したがって、ユーザは全体をダウンロードし直す必要なく、ダウンロードを完了させることができる。
【００５７】
いくつかの実施例では、コントロール・ユニット８４０は、ダウンロードが中断したことを示すファイル・マーカーを保存する。コントロール・ユニット８４０は、第１のファイル・マーカーをメモリ８４２に保存する。このファイル・マーカーは、モバイル端末８６０のメモリに既に転送されているファイルの部分（転送済み部分）とモバイル端末８６０のメモリにまだ転送されていないファイルの部分（未転送部分）を識別する。モバイル端末８６０のメモリにファイル全体が転送される前に、ユーザがモバイル端末８６０を車両８００から外に出すか、又は他の方法でモバイル端末をインターフェース・リンク８７０から切断すると、コントロール・ユニット８４０は未転送部分のダウンロードを続行して、未転送部分をコントロール・ユニット８４０のメモリ８４２に保存すなわちバッファリングする。モバイル端末８６０がインターフェース８４４を通してコントロール・ユニット８４０へのリンク８７０を再確立すると、データの未転送部分がモバイル端末８６０のメモリにダウンロードされる。つまり、モバイル端末８６０とコントロール・ユニットとの再接続に応答して、マーカーによって示される点からダウンロードが再開される。モバイル端末は、マーカーより後ろの未転送部分のデータのダウンロードを要求するようにユーザに促すことができる。或いは、リンク８７０の再確立に応答して、ユーザと対話することなく、コントローラ８４０がマーカーより後ろの未転送データのダウンロードを開始することもできる。ただし、どちらの場合も、マーカーより前にダウンロードされたデータを再度ダウンロードする必要はない。
【００５８】
図９は、本開示の実施例による、ＤＥＲシステム９００を示す。一定の詳細がＤＥＲシステム９００の構成要素を参照しながら提供されるが、その他の実施例が、それらより多くの、少ない、又はそれらと異なる構成要素を含んでもよいことを理解されたい。ＤＥＲシステム９００は、モバイル端末４９０及びコントローラ・ユニット９０５に結合されたＤＥＲ１００を備える。ＤＥＲ１００はコントロール・システム４００を備える。
【００５９】
コントローラ・ユニット９０５はアクセス・ポイントとして動作し、アクセス制御、盗難防止、データ・トラフィック監視、データ・トラフィックのシェーピング、ネットワーク・ノード間の信号伝達、並びに、ネットワークのアクセス及び制御に関連するその他の様々な特徴などの特徴を提供する。いくつかの実施例では、コントローラ・ユニット９０５はノード・ネットワーク４７０の特徴及び機能を備える。いくつかの実施例では、コントローラ・ユニット９０５及びネットワーク・ノード４７０は交換可能である。コントローラ・ユニット９０５は、有線又は無線接続を介してバックホール・ネットワーク４８０に結合される。コントローラ・ユニット９０５はバックホール・ネットワーク４８０を介して１つ又は複数のコンピュータ・ネットワークに結合される。
【００６０】
コントローラ・ユニット９０５は、コントローラ・ユニット９０５内の構成要素を制御するように構成された処理回路９１０を備える。いくつかの実施例では、処理回路９１０はメモリ９２０ａ〜９２０ｂ、通信インターフェース９３０及びエネルギー・ユニット９４０を制御する。コントローラ・ユニット９０５は、１つ又は複数のＤＥＲ１００との間で制御信号及びデータ信号の送受信を行うために、安全なチャネルを確立する。処理回路９１０は、コントローラ・ユニット９０５とＤＥＲ１００との間の通信のために仮想プライベート・ネットワーク（ＶＰＮ）の初期化及び終了を行う。つまり、コントローラ・ユニット９０５はＶＰＮを使用して安全なチャネルを介してＤＥＲ１００と通信する。いくつかの実施例では、処理回路９１０は暗号データを送信し、ＤＥＲ１００から受信した暗号データを解読するように構成される。つまり、処理回路９１０及びコントロール・システム４００は、コントローラ・ユニット９０５とＤＥＲ１００との間で送信されるデータを保障するために使用される暗号化合意を成立させるか、又は共用暗号化キーを共有する。
【００６１】
コントローラ・ユニット９０５は、処理回路９１０のための命令を保存するとともに、処理回路９１０によって行われる機能で使用される情報を保存するように構成されたメモリ９２０を備える。いくつかの実施例では、処理回路９１０は、同一の集積回路内にメモリ９２０ａを備える。いくつかの実施例では、処理回路９１０はメモリ９２０ｂに結合される。
【００６２】
コントローラ・ユニット９０５は、ＤＥＲ１００とコントローラ・ユニット９０５との間で制御信号及びデータを送受信するように構成された通信インターフェース９３０を備える。通信インターフェース９３０は、有線又は無線接続を介してバックホール・ネットワーク４８０に結合される。コントローラ・ユニット９０５は通信インターフェース９３０を使用して、ネットワーク４９５との間でバックホール・ネットワーク４８０を介して信号を送受信する。つまり、コントローラ・ユニット９０５は、バックホール・ネットワーク４８０を通してネットワーク４９５に通信可能に結合される。通信インターフェース９３０は、ネットワーク・ノード４７０、ＧＰＳ受信器９５０及び、光通信ターミナル９６０を備える。
【００６３】
ＧＰＳ受信器９５０はＧＰＳ衛星を発見し、衛星から受信した信号を使用してコントローラ・ユニット９０５の位置を推定するように構成される。いくつかの実施例では、コントローラ・ユニット９０５は、そのコントローラ・ユニット９０５によって制御されるＤＥＲのセット６１０内の各ＤＥＲ１００に位置を示すメッセージを送信する。位置メッセージは、ＧＰＳ位置、地理座標系の座標値の組、おおよその住所、及び交差点を含むことができる。位置メッセージの受信に応答して、ＤＥＲ１００は位置情報をメモリ４１２に保存する。
【００６４】
例えば、ＤＥＲ１００がＧＰＳ９５０から導出された位置情報をコントローラ・ユニット９０５から受け取って保存する。モバイル端末４９０のユーザは、地図又はナビゲーションのアプリケーションを使用して、Ａ地点からＢ地点への選択された経路を追跡する。Ａ地点とＢ地点の間でモバイル端末４９０がＧＰＳ衛星との接続を失い、モバイル端末の位置を決定することができない。ＤＥＲ１００はモバイル端末４９０に位置情報を送り、それによって、モバイル・デバイスの地図又はナビゲーションのアプリケーションがモバイル端末の位置を決定できるようにする。したがって、ＤＥＲシステム９００は、ユーザのＧＰＳナビゲーション体験を強化させる。
【００６５】
光通信ターミナル９６０は光を介して信号を送受信するように構成され、信号はデータ信号又は制御信号を含む。つまり、光通信ターミナル９６０は光通信チャネルを使用して信号を送受信する。光通信ターミナル９６０は、光入力を介して入力信号を受信し、光出力を介して信号を送信するように構成された入出力（Ｉ／Ｏ）ターミナルを備える。いくつかの実施例では、光通信ターミナル９６０はレーザーＩ／Ｏ信号を使用して通信するように構成される。いくつかの実施例では、光通信デバイスはホワイトスペース周波数を使用して通信するように構成される。実例として、テレビのチャネル４及びチャネル５が行政に指定された周波数８．０メガヘルツ及び９．０メガヘルツを表すとき、ホワイトスペース周波数は行政が特定の目的（例えば、テレビのチャネル４及びチャネル５）に割り当てていない８．５〜８．９メガヘルツの帯域を表す。
【００６６】
いくつかの実施例では、光通信ターミナル９６０は光の光子を使用してフォトニックで通信するように構成される。フォトニック通信は光波のサブセットを使用して、レーザー光を介して送信される信号よりも速く信号を送信する。光通信ターミナル９６０は、信号送信チャネルのセキュリティ侵害を検出するように構成される。例えば、光通信ターミナル９６０は送信経路内の光の遮断を検出し、その遮断をセキュリティの侵害の表示と解釈する。別の実例として、光通信ターミナル９６０は送信経路内のフォトニック信号の光子の極性の変化を検出し、その変化した極性をセキュリティの侵害の表示と解釈する。
【００６７】
いくつかの実施例では、コントロール・システム４００の通信インターフェース４３０は光通信ターミナル９６０を備える。例えば、第１のＤＥＲ１００ａ及び第２のＤＥＲ１００ｂがそれぞれ光通信ターミナル９６０を備え、それぞれの光通信ターミナル９６０を使用してレーザーを使用するかフォトニック通信によって互いに通信する。別の実例として、ＤＥＲ１００が光通信ターミナル９６０ｂを備え、レーザーを使用するかフォトニック通信によってコントローラ・ユニット９０５の光通信ターミナル９６０ａとの信号の送受信を行う。
【００６８】
コントローラ・ユニット９０５は、コントローラ・ユニット９０５を組成する電気構成要素に電気エネルギーを供給するように構成されたエネルギー・ユニット９４０を備える。エネルギー・ユニット９４０は、電力会社の配電ライン、地熱などの熱、及び振動のうち１つ又は複数のソースから電力を受け取る。いくつかの実施例では、エネルギー・ユニット９４０は地熱エネルギーをコントローラ・ユニット９０５のための電力に変換するように構成される。いくつかの実施例では、エネルギー・ユニット９４０は、道路の振動をコントローラ・ユニット９０５のための電力に変換するように構成される。いくつかの実施例では、エネルギー・ユニット９４０は、無線電力伝送信号を電力源４４０に送信するように構成され、無線電力伝送信号は電力源４４０内のエネルギー貯蔵デバイスを充電する。エネルギー・ユニット９４０の無線電力伝送送信器は、周波数共用結合などで、ＤＥＲの電力源４４０の無線電力受信器に結合されるように構成される。
【００６９】
つまり、いくつかの実施例では、コントロール・システム４００内の電力源４４０は無線電力を受け取ってコントロール・システム４００内の電気構成要素に電力を供給し、バッテリーなどのエネルギー貯蔵デバイスを充電するように構成される。
【００７０】
本開示の実施例によれば、ＤＥＲシステム９００は、警察官の地理位置に関する情報などの情報を警察車両４９０から受信するように構成される。いくつかの実施例では、ＤＥＲシステム９００は、警察官の地理位置に基づいてＤＥＲ１００からの警察官の近位距離を判断するように構成される。
【００７１】
ＤＥＲシステム９００は、車両の速度及び識別情報を報告するためのプロセスを実装するように構成され、それについて、図９及び図１１を参照しながらより具体的に説明する。
【００７２】
図１０は、本開示の実施例による、ＤＥＲのネットワーク１０００を示す。一定の詳細がＤＥＲのネットワーク１０００の構成要素を参照しながら提供されるが、その他の実施例が、それらより多くの、少ない、又はそれらと異なる構成要素を含んでもよいことを理解されたい。図１０では、ＤＥＲのネットワーク１０００は４つのコントローラ・ユニット９０５ａ〜９０５ｄを備え、それぞれが、各々４つの表面反射器である対応するＤＥＲのセット６０１ａ〜６０１ｄを制御するが、ＤＥＲのネットワーク１０００は任意の数のＤＥＲのセット６１０を備えてもよい。図１０の構成要素は、図６の構成要素の特徴及び機能を共有する。
【００７３】
ＤＥＲのネットワーク１０００は複数のＤＥＲのセットを含む。例えば、ＤＥＲのネットワーク１０００は、第１のＤＥＲのセット６１０ａ、第２のＤＥＲのセット６１０ｂ、第３のＤＥＲのセット６１０ｃ、及び第４のＤＥＲのセット６１０ｄを含む。第１のコントローラ・ユニット６０５ａは第１のＤＥＲのセット６１０ａを制御し、第２のコントローラ・ユニット６０５ｂは第２のＤＥＲのセット６１０ｂを制御し、第３のコントローラ・ユニット６０５ｃは第３のＤＥＲのセット６１０ｃを制御し、第４のコントローラ・ユニット６０５ｄは第４のＤＥＲのセット６１０ｄを制御する。
【００７４】
第１のＤＥＲのセット６１０ａのコントローラ・ユニット９０５ａは第２のＤＥＲのセット６１０ｂのコントローラ・ユニット９０５ｂに有線又は無線接続を介して接続され、コントローラ・ユニット９０５ａからバックホール・ネットワーク４８０へのデイジー・チェーンを形成する。つまり、コントローラ・ユニット９０５ａは直接バックホール・ネットワーク４８０に接続されないが、第２のコントローラ・ユニット９０５ｂがバックホール・ネットワーク４８０と第１のコントローラ・ユニット９０５ａとの間の仲介者となる。第１のコントローラ・ユニット９０５ａは、バックホール・ネットワーク４８０への有線又は無線接続と組み合わせた論理接続を介してコントローラ・ユニット９０５ｃ及び９０５ｄに結合される。第１のコントローラ・ユニット９０５ａは、論理接続を介して（９０５ｂ及び４８０を通して）コントローラ・ユニット９０５ｃ及び９０５ｄに制御信号及びデータ信号を送信し、コントローラ・ユニット９０５ｃ及び９０５ｄから返される応答メッセージを受信する。
【００７５】
図１０及び図１３を参照すると、ＤＥＲのネットワーク１０００は、車両８００の推定地理位置に基づいて、車両８００内の移動局８６０にデータ・ファイルのセグメントを連続的に送信するためのプロセスを実装するように構成される。
【００７６】
図１１は、本開示の実施例による、車両の速度及び識別情報を報告するためのプロセス１１００を示す。図１１に示されるプロセス１１００の実施例は、説明のみを目的とする。本開示の範囲を逸脱することなく、その他の実施例が使用されてもよい。
【００７７】
車両８００はＤＥＲ１００の近傍を、方向及びスピードを含む速度ｖ（ｖのベクトルで表記）で移動する。ブロック１１０５で、ＤＥＲ１００は１つ又は複数のレーダー信号をブロードキャストする。レーダー信号が車両８００又はその他の対象物に入射すると、信号は車両８００から反射して、レーダー・ユニット４１５内のレーダー・トランシーバに向かって戻る。
【００７８】
ブロック１１１０で、レーダー・ユニット４１５は反射した戻りレーダー信号を受信する。いくつかの実施例では、ブロック１１１０は、反射した戻りレーダー信号に関連する画像を受信することをさらに含む。処理回路４１０は、ブロードキャストされたレーダー波が入射する対象物の写真を捕捉するようにカメラ４２５に指示を与えるように構成される。つまり、カメラは反射した戻りレーダー信号に対応する車両８００又はナンバープレートの画像を捕捉する。
【００７９】
ブロック１１１５で、コントロール・システム９００は車両８００の速度ｖを判断する。いくつかの実施例では、ＤＥＲ１００のコントロール・システム４００が、レーダー・ユニット４１５からの波形情報を使用して車両の速度ｖを判断する。いくつかの実施例では、コントローラ・ユニット９０５が、車両８００の方向及びスピードを判断する。コントローラ・ユニット９０５は、ＤＥＲ１００のレーダー・ユニット４１５から受信した情報を使用して判断を行う。
【００８０】
ブロック１１２０で、コントロール・システム９００は、ブロック１１１５で判断された車両のスピードと閾値スピードを比較する。閾値スピードの例には、ユーザ定義された監視対象のスピード、コントロール・システムに保存された指定のスピード、ＤＥＲ１００の位置に対応する制限スピード、スピード制限の違反者を探すか出頭命令を発効する法執行官によって選択される制限スピードを超えるスピードが含まれる。コントロール・システム９００は、車両のスピードが閾値スピード以上であるかどうかを判断する。車両のスピードが少なくとも閾値スピードである場合は、コントロール・システム９００はブロック１１２５に進む。車両のスピードが閾値スピード未満である場合は、コントロール・システムはブロック１１０５に進む。
【００８１】
いくつかの実施例では、ブロック１１２５で、コントロール・システム９００はスピード情報を外部デバイスに送信する。例えば、コントロール・システム９００はスピード情報を、ネットワーク４９５内の１つ又は複数のコンピュータ、ネットワーク・ユーザ、車両の運転者、又は第３者に送信することができる。スピード情報は、ブロック１１１０で捕捉された車両の画像、ブロック１１１５で判断された車両の速度ｖ、及びブロック１１２０で導出された速度比較の結果を含む。
【００８２】
図１２は本開示の実施例による、車両の位置及び識別情報を報告するためのプロセス１２００を示す。図１２に示されるプロセス１２００の実施例は、説明のみを目的とする。本開示の範囲を逸脱することなく、その他の実施例が使用されてもよい。はじめに、車両８００がＤＥＲ１００の近傍を、方向及びスピードを含む速度ｖで移動する。ブロック１２０５で、ＤＥＲ１００のコントロール・システム４００が目標のナンバープレートの番号を受信する。例えば、車両内の携帯電話が、対象車両の色及びナンバープレート番号を含むアンバーアラートを受信し、そのアンバーアラート情報を、リンク４５５を介してコントロール・システム４００に送る。別の実例として、ネットワーク４９５が行政の法執行システム又は行政の運輸部門のシステムを含む。ネットワーク内のコンピュータが、違法行為で使用された１つ又は複数の車両の目標ナンバープレート番号を表示するメッセージをコントローラ・ユニット９０５に送信する。コントローラ・ユニット９０５は、目標のナンバープレート番号を、そのコントローラ・ユニット９０５によって制御されているＤＥＲのセット６１０内の少なくとも１つのＤＥＲ１００に送る。目標のナンバープレート番号はメモリ４１２、９２０ａ〜９２０ｂに保存される。
【００８３】
ブロック１２１０で、カメラ４２５は車両８００の、車両ナンバープレート及び車両の色を含む画像を捕捉する。画像は処理回路４１０又は９１０によって処理するために受信される。
【００８４】
ブロック１２１５で、処理回路４１０又は９１０は、ブロック１２１０で捕捉された画像内の文字列を認識する。処理回路４１０、９１０はＯＣＲ機能を使用して車両ナンバープレートの画像内の文字を判断する。いくつかの実施例では、処理回路４１０、９１０は、画像内でナンバープレートが装着されている車の色を判断するように構成される。
【００８５】
ブロック１２２０で、処理回路４１０又は９１０は、１つ又は複数の目標ナンバープレート番号を、車両ナンバープレートの画像で認識された文字列と比較する。車両ナンバープレートの画像で認識された文字列が目標ナンバープレート番号にかなり類似する場合は、コントロール・システムはブロック１２２５に進む。一致するナンバープレート番号が見つかると、コントロール・システムはブロック１２０５に進む。いくつかの実施例では、処理回路４１０、９１０は車の色とアンバーアラートの色とを比較することによって一致する色を探す。
【００８６】
ブロック１２２５で、コントロール・システム９００は位置情報及び車両情報を、ネットワーク４９５内のコンピュータ又はネットワーク・ユーザに送信する。車両情報には、車両の色、車両ナンバープレートの画像で認識された文字列が含まれる。位置情報はＤＥＲの位置を含む。いくつかの実施例では、車両情報は車両の速度ｖを含む。
【００８７】
図１３は、本開示の実施例による、移動局の推定地理位置に基づいてデータ・ファイルの複数のセグメントを移動局に連続的に送信するためのプロセス１３００を示す。図３に示されるプロセス１３００の実施例は、説明のみを目的とする。本開示の範囲を逸脱することなく、その他の実施例が使用されてもよい。
【００８８】
ブロック１３０５で、モバイル端末８６０はネットワーク４９５からファイルをダウンロードするよう求める要求をＤＥＲ１００に送信する。いくつかの実施例では、モバイル端末は、自動車両８００内にいないユーザに関連していてもよい。ＤＥＲ１００は、ファイルをダウンロードするよう求める要求をモバイル端末８６０から受信する。
【００８９】
ブロック１３１０で、ＤＥＲのコントロール・システム４００は、要求されたファイルをネットワーク４９５からコントロール・ユニット９０５及びバックホール・ネットワーク４８０を介して取り込む。コントローラ・ユニット９０５ａ〜９０５ｄの処理回路９１０は、ファイルを取り込むための要求をネットワーク４９５から受信するように構成される。ファイル取り込みの要求を受信したことに応答して、コントローラ・ユニット９０５ａ〜９０５ｄはネットワーク４９５内の場所からファイルを取り込む。コントローラ・ユニット９０５ａ〜９０５ｄの処理回路９１０は、取り込まれたファイルが分割されているファイル・セグメントの数を判断するように構成される。送信のスピードを向上されるために、取り込まれたファイルが複数のファイル・セグメントに分割されて、時間依存性の順序に無関係に送信されている場合は、処理回路９１０は、順不同のファイル・セグメントを時間依存性の連続した順序に組み立てるように構成される。例えば、映画ファイルが４つのファイル・セグメントＡ〜Ｄに分割されることがある。その映画ファイルのネットワーク・コンピュータ・ストレージは、コントローラ・ユニット９０５ａにファイル・セグメントＡ（映画の最初の１０分間を含む）を送信し、続いてファイル・セグメントＤ（映画の４番目の１０分間を含む）、次にファイル・セグメントＣ（映画の３番目の１０分間を含む）、その次にファイル・セグメントＢ（映画の２番目の１０分間を含む）を送信することがある。処理回路９１０は、各ファイル・セグメント内のマーカーを使用して、ファイル・セグメントＡがファイルの最初の部分を含んでいると判断するなど、ファイル・セグメントの時間依存性の順序を判断する。処理回路９１０は、ファイル・セグメントＤがファイル・セグメントＣの直後に続くように、ファイル・セグメントＣがファイル・セグメントＢの直後に続くように、そして、ファイル・セグメントＢがファイル・セグメントＡの直後に続くように組み立てる。つまり、処理回路９１０は順不同のファイル・セグメントのセット｛Ａ，Ｄ，Ｃ，Ｂ｝を受信して、それらのファイル・セグメントを時間依存性のシーケンス｛Ａ，Ｂ，Ｃ，Ｄ｝に組み立てる。
【００９０】
ブロック１３１５で、コントローラ・ユニット９０５ａは、移動局８６０に転送すべきファイル・セグメントの数を判断する。いくつかの事例では、コントローラ・ユニット９０５がａファイルを受け取る先の（ネットワーク４９５内の）コンピュータが、コントローラ・ユニット９０５がファイルを取り込む前に、複数のファイル・セグメントにファイルを分割している。いくつかの事例では、コントローラ・ユニット９０５ａは要求されたファイルを、分割されていない１つの大きいファイルとして（ネットワーク４９５内の）コンピュータから取り込む。コントローラ・ユニット９０５ａは、取り込んだファイルがより速く移動局８６０に送信されるように、取り込んだファイルを複数のファイル・セグメントに分割するように構成される。コントローラ・ユニット９０５ａは、送信を高速化するために、取り込んだファイル・セグメントをさらに多くの複数のファイル・セグメントに分割するように構成される。
【００９１】
ブロック１３１５ではまた、コントローラ・ユニット９０５ａは、ファイル・セグメントを移動局８６０に転送する順序を決定する。例えば、コントローラ・ユニット９０５は、最初に、２つの小さい非連続的な（例えば、ファイル・セグメントＡ及びＤ）をＤＥＲ１００に送信し、次に単一のファイル・セグメントＣを送信すると決定することができる。
【００９２】
ブロック１３２０で、ＤＥＲ１００は、ブロック１１０５で行ったようにレーダー信号１３２０をブロードキャストする。ブロック１３２５で、ＤＥＲ１００は、ブロック１１１０で行ったように反射した戻りレーダー信号を受信する。ブロック１３３０で、ＤＥＲの処理回路４１０、９１０又はコントローラ・ユニット９０５ａは、ブロック１１１５で行ったように、車両８００の速度ｖを判断する。
【００９３】
ブロック１３３５で、コントローラ・ユニット９０５ａは、ＤＥＲ１００からモバイル端末８６０に各ファイル・セグメントが送信されるべき時刻のスケジュールを決定する。コントローラ・ユニット９０５ａは、ステップ１３３０で判断された車両８００のスピード及び方向を使用するか、データ転送のスピードを使用するか、並びに、転送されるファイル・セグメントのサイズ及び数を使用して、この決定を行う。例えば、コントローラ・ユニット９０５ａは、第１の時刻ｔ１にファイル・セグメントＡをモバイル端末８６０に転送することによってファイル転送が開始し、ｔ２の前に終了するべきと決定する。つまり、スケジュールされた各ファイル転送は、次のスケジュールのファイル転送が開始する前に終了しなければならない。第２の時刻ｔ２に、ファイル・セグメントＢがモバイル端末８６０に転送されなければならない。第３の時刻ｔ３に、ファイル・セグメントＣがモバイル端末８６０に転送されなければならない。第４の時刻ｔ４に、最後のファイル・セグメントＤがモバイル端末８６０に転送されなければならない。
【００９４】
ブロック１３４０で、コントローラ・ユニット９０５ａは、車両の速度ｖに基づいて車両８００の推定位置を決定する。例えば、第１の基準時刻ｔ１で、コントローラ・ユニット９０５ａは、ブロック１３２５の反射したレーダー信号を使用して、車両８００が第１の位置Ｌ１に位置すると判断する。コントローラ・ユニット９０５ａは、時刻ｔ２、ｔ３、及びｔ４（ブロック１３３５でスケジュールされている）での車両８００の位置の予測を計算する。コントローラ・ユニット９０５ａは、車両８００が時刻ｔ２に推定位置Ｌ２、時刻ｔ３に推定位置Ｌ３、時刻ｔ４に推定位置Ｌ４に位置するものと計算する。
【００９５】
ブロック１３４５で、コントローラ・ユニット９０５ａは、スケジュールされたファイルされた転送時刻のそれぞれで、どのコントロール・ユニットが移動局に結合されるかを決定する。決定は、車両の速度ｖに基づく。例えば、コントローラ・ユニット９０５ａは第１のＤＥＲのセット６１０ａを介して移動局８６０に結合され、第１のコントローラ・ユニット９０５ａが第１の時刻ｔ１に、ファイル・セグメントＡをモバイル端末８６０に転送し始めるように第１のＤＥＲのセット６１０ａに指示すべきと決定する。コントローラ・ユニット９０５ａは、第２のコントローラ・ユニット９０５ｂが第２の時刻ｔ２に第２のＤＥＲのセット６１０ｂを介して移動局８６０に結合され、ファイル・セグメントＢをモバイル端末８６０に転送し始めるように第２のＤＥＲのセット６１０ｂに指示すべきと決定する。コントローラ・ユニット９０５ａは、第３のコントローラ・ユニット９０５ｃが第３の時刻ｔ３に第３のＤＥＲのセット６１０ｃを介して移動局８６０に結合され、ファイル・セグメントＣをモバイル端末８６０に転送し始めるように第３のＤＥＲのセット６１０ｃに指示すべきと決定する。コントローラ・ユニット９０５ａは、第４のコントローラ・ユニット９０５ｄが第４の時刻ｔ４に第４のＤＥＲのセット６１０ｄを介して移動局８６０に結合され、ファイル・セグメントＤＣをモバイル端末８６０に転送し始めるように第４のＤＥＲのセット６１０ｄに指示すべきと決定する。
【００９６】
ブロック１３５０で、コントロール・ユニット９０５ａは各コントロール・ユニット９０５ａ〜９０５ｄに、そのコントロール・ユニットから移動局に転送されるように割り当てられたファイル・セグメントを受信させる。コントロール・ユニット９０５ａは、ファイル・セグメントＢが第２のコントローラ・ユニット９０５ｂによって転送されるように割り当てられるというブロック１３４５の決定を使用する。したがって、コントローラ・ユニット９０５ａは、転送すべき第２のファイル・セグメントであるファイル・セグメントＢを第２のコントローラ・ユニット９０５ｂに受信させる。同様に、コントローラ・ユニット９０５ａは、転送すべき第３のファイル・セグメントであるファイル・セグメントＣを第３のコントローラ・ユニット９０５ｃに受信させる。コントローラ・ユニット９０５ａは、転送すべき第４のファイル・セグメントであるファイル・セグメントＤを第４のコントローラ・ユニット９０５ｄに受信させる。
【００９７】
いくつかの実施例では、コントローラ・ユニット９０５ａは、割り当てられたファイル・セグメントを第２のコントローラ９０５ｂに相互結合を介して送信することによって、割り当てられたファイル・セグメントを第２のコントローラ９０５ｂに受信させる。いくつかの実施例では、コントローラ・ユニット９０５ａは、割り当てられたファイル・セグメントをネットワークから取り込むように第２のコントローラ９０５ｂに指示する信号を第２のコントローラ９０５ｂに送信することによって、割り当てられたファイル・セグメントを第２のコントローラ９０５ｂに受信させる。
【００９８】
ブロック１３５５で、コントローラ・ユニット９０５ａは、コントロール・ユニット９０５ａ〜９０５ｄのそれぞれに、それぞれに割り当てられたファイル・セグメントをスケジュールされた時刻（ブロック１３３５のスケジュールに従う）移動局８６０に転送するように指示する。
【００９９】
様々な特徴が図に示され、上記において説明されてきたが、様々な変更が図に加えられてもよい。例えば、図１〜図６及び図８に示される構成要素のサイズ、形状、構成、及び配置は説明のみを目的とする。各構成要素は、任意の適切なサイズ、形状及び寸法を有してもよく、複数の構成要素が任意の適切な構成及び配置を有してもよい。また、図１〜図６の様々な構成要素は、組み合わされてもよいし、さらに細分化されてもよいし、省略されてもよく、また、特定の必要に応じて追加の構成要素が加えられてもよい。例えば、ＧＴＤを使用しているシステムは、セルラー通信又は衛星通信のみをサポートすることもできる。さらに、デバイス又はシステム内の各構成要素は、記載された機能を行うために任意の構造を使用して実装されることもできる。加えて、図７は様々な一連のステップを示すが、図７の様々なステップは、重複して、並行して、複数回、又は、異なる順序で行われてもよい。
【０１００】
本開示の例示的実施例を詳細に説明してきたが、本開示の最も広範な形の趣旨及び範囲を逸脱することなく、様々な変更、置換、変形、及び改良が行われてもよいことは当業者には理解されよう。
【０１０１】
本出願内のいかなる記載も、なんらかの特定の要素、ステップ、又は機能が特許請求の範囲に含まれなければならない必須要素であることを暗示すると解釈されてはならず、特許保護される発明主題の範囲は許可される請求項によってのみ定められる。さらに、これらの請求項のいずれも、正確な「ｍｅａｎｓ  ｆｏｒ」という語に分詞が続いていない限り、３５ＵＳＣ１１２条第６段落を発動させることを意図しない。
【図１】
2016522594.tif 000003
【図２】
2016522594.tif 000004
【図３】
2016522594.tif 000005
【図１０】
2016522594.tif 000006
【図４】
2016522594.tif 000007
【図５】
2016522594.tif 000008
【図６】
2016522594.tif 000009
【図７】
2016522594.tif 000010
【図８】
2016522594.tif 000011
【図９】
2016522594.tif 000012
【図１１】
2016522594.tif 000013
【図１２】
2016522594.tif 000014
【図１３】
2016522594.tif 000015
【国際調査報告】
2016522594.tif 000016
2016522594.tif 000017